(57)【要約】  本発明は、固形物を含む素材をパンチングした場合でもバーブの機能低下が起こりにくいフェルト針を提供する。  ブレード１２の表面にバーブ２０が形成されたフェルト針１０において、固形物５１を含む交絡対象に前記フェルト針１０を挿入したときに、前記バーブ２０の立ち上がり面２１に押し付けられて生じる固形物５１の流れが一方向に偏るように、前記バーブ２０の立ち上がり面２１を非対称に形成した。
2020017364.tif 000002
【特許請求の範囲】
【請求項１】
ブレードの表面にバーブが形成されたフェルト針であって、
固形物を含む交絡対象に前記フェルト針を挿入したときに、前記バーブの立ち上がり面に押し付けられて生じる固形物の流れが一方向に偏るように、前記立ち上がり面が非対称に形成されていることを特徴とする、フェルト針。
【請求項２】
前記バーブの入隅線は、前記バーブの幅方向の一方側から他方側に行くに従って、次第に針先から離れるように形成されていることを特徴とする、請求項１記載のフェルト針。
【請求項３】
前記入隅線は、曲線で形成されていることを特徴とする、請求項２記載のフェルト針。
【請求項４】
前記入隅線は、直線で形成されていることを特徴とする、請求項２記載のフェルト針。
【請求項５】
前記入隅線は、段階的に傾斜が変わる折れ線で形成されていることを特徴とする、請求項２記載のフェルト針。
【発明の詳細な説明】
【技術分野】
【０００１】
この発明は、フェルト製品の繊維交絡に用いられるフェルト針に関する。
【背景技術】
【０００２】
この種のフェルト針として、断面三角形のブレードの角部に切り込みを入れることで、複数の小さな爪（バーブ）を形成したものが知られている（例えば特許文献１参照）。このようなフェルト針を使用してフェルト生地をパンチングすると、針を挿入したときにバーブが繊維を捕捉するとともに、針を引き抜くときに繊維が解放されることにより、繊維を効率よく絡み合わせることができる。
【先行技術文献】
【特許文献】
【０００３】
【特許文献１】特開平７−３３１５７５号公報
【発明の概要】
【発明が解決しようとする課題】
【０００４】
しかしながら、上記したような従来のフェルト針は、微粒子状の固形物が含まれる素材をパンチングする場合や、ベントナイトのような粘土状の塑性体を繊維に混成してパンチングする場合には、効率的に繊維交絡を行えない場合があった。【０００５】
すなわち、このような固形物を含む素材を従来のフェルト針でパンチングすると、針挿入時に固形物がバーブを形成する切り込み部に入り込んでしまう。この固形物が、針を引き抜くときに取り除かれずに残留してしまうと、次回の針挿入時にバーブの機能が発揮されず、効率的に繊維交絡を行えないという問題があった。【０００６】
このように固形物によってバーブの機能が発揮されなくなると、作業を中断して針の洗浄等のメンテナンスを行うか、針を交換しなければならず、作業性が悪化するという問題があった。
そこで、本発明は、固形物を含む素材をパンチングした場合でもバーブの機能低下が起こりにくいフェルト針を提供することを課題とする。
【課題を解決するための手段】
【０００７】
本発明は、上記した課題を解決するためになされたものであり、ブレードの表面にバーブが形成されたフェルト針であって、固形物を含む交絡対象に前記フェルト針を挿入したときに、前記バーブの立ち上がり面に押し付けられて生じる固形物の流れが一方向に偏るように、前記立ち上がり面が非対称に形成されていることを特徴とする。
【発明の効果】
【０００８】
本発明は上記の通りであり、固形物を含む交絡対象にフェルト針を挿入したときに、バーブの立ち上がり面に押し付けられて生じる固形物の流れが一方向に偏るように、立ち上がり面が非対称に形成されている。このような構成によれば、フェルト針を挿入したときに、バーブを形成する切り込み部に固形物が進入しても、一方向に向かって固形物を排出する流れが発生するので、バーブの内側に固形物が詰まりにくい。また、バーブの内側に固形物が詰まったとしても、次回フェルト針が挿入されたときに再び固形物を排出する流れが発生するので、自浄作用を働かせることができる。【０００９】
なお、バーブの入隅線は、バーブの幅方向の一方側から他方側に行くに従って、次第に針先から離れるように形成されていることが望ましい。このような構成によれば、フェルト針が挿入されたときに生じる固形物の流れについて、バーブの入隅によどみ点が存在しないように構成できるので、バーブの入隅に固形物が滞留しにくい構造とすることができる。【００１０】
このとき、バーブの入隅線は、曲線で形成されていてもよいし、直線で形成されていてもよい。また、バーブの入隅線は、段階的に傾斜が変わる折れ線で形成されていてもよい。
【図面の簡単な説明】
【００１１】
【図１】フェルト針の外観図である。
【図２】Ａ部拡大図である。
【図３】Ｂ−Ｂ線断面図である。
【図４】バーブ付近の拡大図であって、（ａ）フェルト針をフェルト生地に挿入したときの説明図、（ｂ）フェルト針をフェルト生地から引き抜くときの説明図である。
【図５】バーブ付近の拡大図であって、（ａ）フェルト針をフェルト生地に挿入してバーブの内側に固形物が進入する様子を示す図、（ｂ）バーブの内側に固形物が詰まった状態でフェルト針をフェルト生地から引き抜く様子を示す図である。
【図６】バーブ付近の一部拡大斜視図である。
【図７】（ａ）バーブ付近を図３のＣ方向から見た図、（ｂ）バーブ付近を図３のＤ方向から見た図である。
【図８】バーブ付近を図３のＣ方向から見た図であって、立ち上がり面に押し付けられて生じる固形物の流れを説明する図である。
【図９】変形例１に係る図であって、（ａ）バーブ付近の一部拡大斜視図、（ｂ）バーブ付近を図３のＣ方向から見た図である。
【図１０】変形例２に係る図であって、（ａ）バーブ付近の一部拡大斜視図、（ｂ）バーブ付近を図３のＣ方向から見た図である。
【図１１】（ａ）変形例３に係るバーブ付近を図３のＣ方向から見た図、（ｂ）変形例４に係るバーブ付近を図３のＣ方向から見た図である。
【図１２】変形例５に係る図であって、（ａ）バーブ付近の一部拡大側面図、（ｂ）バーブ付近の一部拡大斜視図である。
【図１３】（ａ）変形例６に係るバーブ付近の一部拡大斜視図、（ｂ）変形例７に係るバーブ付近の一部拡大斜視図である。
【発明を実施するための形態】
【００１２】
本発明の実施形態について、図を参照しながら説明する。
本実施形態に係るフェルト針１０は、フェルト製品の繊維交絡に用いられるものである。このフェルト針１０は、図１に示すように、略Ｌ字形に形成されたシャンク１１と、シャンク１１の先端に連続するブレード１２と、を備える。
【００１３】
このフェルト針１０は、例えばボードに装着して使用される。フェルト針１０を取り付けるためのボードには、シャンク１１の径とほぼ同じ大きさで複数の取付穴が形成されている。この取付穴にフェルト針１０を挿入し、シャンク１１側から叩くなどして、取付穴にシャンク１１を圧入して取り付ける。このように複数のフェルト針１０を取り付けたボードは、機械によって往復動させられる。この往復動するボードに対面するようにフェルト生地などの交絡対象を配置すれば、フェルト針１０の先端（ブレード１２）が繰り返し交絡対象に突き刺さる。この動作により、交絡対象をパンチングして繊維を交絡させることができる。
【００１４】
本実施形態に係るブレード１２は、図３に示すように、断面三角形状となっている。具体的には、ブレード１２は、Ｒ形状の３つの角部１３を平坦面で繋いだ形状であり、面取りされた三角柱状となっている。
【００１５】
また、このブレード１２の表面には、図２に示すように、繊維５０を引っ掛けるための複数のバーブ２０が形成されている。バーブ２０は、ブレード１２の角部１３に切り込み部１４を設けることで形成されており、ブレード１２の３つの角部１３のそれぞれにおいて、所定間隔で複数設けられている。
【００１６】
このバーブ２０は鉤状に形成されており、フェルト針１０でフェルト生地をパンチングしたときに、フェルト生地の繊維５０を引っ張るように構成されている。すなわち、図４（ａ）に示すように、フェルト針１０をフェルト生地に挿入すると、バーブ２０が繊維５０を捕捉しつつ、フェルト生地の内部へと進入する。これにより繊維５０が引っ張られ、繊維５０の引き締めが実行される。その後、図４（ｂ）に示すように、フェルト針１０をフェルト生地から引き抜くと、捕捉された繊維５０がバーブ２０から解放される。このような動作を繰り返すことで、フェルト生地の繊維５０を絡み合わせて引き締めることができる。
【００１７】
上記したバーブ２０は、ブレード１２の角部１３に切り込み部１４を設けることで形成されている。この切り込み部１４の内側には、図６および図７に示すように、バーブ２０の立ち上がり面２１と、立ち上がり面２１の下端に連続する傾斜面１６と、が設けられている。本実施形態に係るバーブ２０は、ブレード１２の角部１３をカットして形成されており、フェルト針１０の軸方向に見たときにブレード１２の外郭線から突出しないように形成されている。
【００１８】
バーブ２０の立ち上がり面２１は、図７に示すように、針先２９方向Ｐに向かって斜めに立ち上がっており、上端が針先２９方向に突き出したオーバーハング形状となっている。立ち上がり面２１が斜めに形成されることで、立ち上がり面２１と傾斜面１６とが鋭角的に接続されている。このため、立ち上がり面２１と傾斜面１６とによって略Ｖ字形の溝が形成されており、これにより返し形状のバーブ２０が形成されている。
【００１９】
ところで、従来のフェルト針１０は、固形物５１を含む素材をパンチングした場合にバーブ２０の機能低下が起こりやすいという問題があった。例えば、対象の素材に微粒子状の固形物５１が含まれる場合や、ベントナイトのような粘土状の塑性体を繊維に混成してパンチングを行う場合には、効率的に繊維交絡を行えないという問題があった。
【００２０】
すなわち、固形物５１を含む素材を従来のフェルト針１０でパンチングすると、図５（ａ）に示すように、針挿入時に固形物５１がバーブ２０を形成する切り込み部１４に入り込んでしまう。この固形物５１が、図５（ｂ）に示すように、針を引き抜くときに取り除かれずに残留してしまうと、次回の針挿入時にバーブ２０の機能が発揮されず、効率的に繊維交絡を行えないという問題があった。このように固形物５１によってバーブ２０の機能が発揮されなくなると、作業を中断して針の洗浄等のメンテナンスを行うか、針を交換しなければならず、作業性が悪化するという問題があった。
【００２１】
本実施形態に係るフェルト針１０は、このような問題を解決するため、図６に示すように、バーブ２０の立ち上がり面２１が、左右（バーブ２０の幅方向Ｗ）に非対称に形成されている。このように、立ち上がり面２１が非対称に形成されることで、固形物５１を含む交絡対象にフェルト針１０を挿入したときに、バーブ２０の立ち上がり面２１に押し付けられて生じる固形物５１の流れが一方向に偏るように構成されている。
【００２２】
ここで、図４および図７に示すように、バーブ２０を幅方向Ｗに見たときの中心位置Ｘを通り、フェルト針１０の軸方向に伸びる仮想中心面Ｓを想定する。この仮想中心面Ｓは、バーブ２０を左右に分割するような面である。なお、図４および図７においては、仮想中心面Ｓを１つだけ表示しているが、仮想中心面Ｓはブレード１２の角部１３ごとに想定することができる。
【００２３】
本実施形態に係るバーブ２０の立ち上がり面２１は、図７（ａ）に示すように、この仮想中心面Ｓに対して、一方側２０ａと他方側２０ｂとで非対称となるように形成されている。そして、この非対称な立ち上がり面２１は、フェルト針１０が固形物５１を含む交絡対象に挿入されたときに、立ち上がり面２１に押し付けられて生じる固形物５１の流れを他方側２０ｂに偏らせるように構成されている。
【００２４】
なお、上記した立ち上がり面２１は、表面が平坦面となっている。また、バーブ２０の入隅線２５（立ち上がり面２１と傾斜面１６との境界線）は、直線となっている。そして、バーブ２０の入隅線２５は、バーブ２０の幅方向Ｗの一方側２０ａから他方側２０ｂに行くに従って、次第に針先２９から離れるように形成されている。言い換えると、フェルト針１０の軸に対して傾斜した入隅線２５が、一方の端部２５ａから他方の端部２５ｂまで直線で形成されている。
また、立ち上がり面２１も、バーブ２０の幅方向Ｗの一方側２０ａから他方側２０ｂに行くに従って、次第に針先２９から離れるように形成されている。
【００２５】
これにより、例えば、図８に示すように、このフェルト針１０が固形物５１を含む交絡対象に挿入されると、切り込み部１４に侵入した固形物５１は立ち上がり面２１に押し付けられる。押し付けられた固形物５１は立ち上がり面２１および入隅線２５に沿って他方側２０ｂへと流れる。このような流れが生じることで、バーブ２０の内側に入り込んだ固形物５１が排出されやすくなっており、固形物５１が詰まることによるバーブ２０の機能低下が起こりにくくなっている。
【００２６】
このように、本実施形態によれば、固形物５１を含む交絡対象にフェルト針１０を挿入したときに、バーブ２０の立ち上がり面２１に押し付けられて生じる固形物５１の流れが一方向に偏るように、立ち上がり面２１が非対称に形成されている。よって、フェルト針１０を挿入したときに、バーブ２０を形成する切り込み部１４に固形物５１が進入しても、一方向に向かって固形物５１を排出する流れが発生するので、バーブ２０の内側に固形物５１が詰まりにくい。また、バーブ２０の内側に固形物５１が詰まったとしても、次回フェルト針１０が挿入されたときに再び固形物５１を排出する流れが発生するので、自浄作用を働かせることができる。
【００２７】
また、本実施形態に係るバーブ２０の入隅線２５は、バーブ２０の幅方向Ｗの一方側２０ａから他方側２０ｂに行くに従って、次第に針先２９から離れるように形成されている。このような構成によれば、固形物５１を含む交絡対象にフェルト針１０を挿入したときに、バーブ２０の立ち上がり面２１に押し付けられて生じる固形物５１の流れを一方向とすることができる。これにより、フェルト針１０が挿入されたときに生じる固形物５１の流れについて、バーブ２０の入隅によどみ点が存在しないように構成できるので、バーブ２０の入隅に固形物５１が滞留しにくい構造とすることができる。
【００２８】
なお、上記した実施形態においては、バーブ２０の入隅線２５が、バーブ２０の幅方向Ｗの一方側２０ａから他方側２０ｂに行くに従って次第に針先２９から離れるように形成したが、これに限らず、図１１（ａ）に示すように、一方側２０ａのバーブ２０の入隅線２５が、フェルト針１０の軸に対して垂直な面上に存在するようにしてもよい。このようにした場合でも固形物５１を排出する偏った流れが発生するため、従来よりも固形物５１を排出しやすくすることができる。ただし、一方側２０ａのバーブ２０の入隅線２５付近に固形物５１の流れのよどみ点が発生するので、図８に示すような形状に比べれば固形物５１が滞留しやすくなる。また、図１１（ｂ）に示すように、バーブ２０の入隅線２５が針先２９側に凸状に突出するようにし、針先２９側に突出した入隅線２５の頂点が一方側２０ａに偏って形成されるようにしてもよい。このようにした場合でも固形物５１を排出する偏った流れが発生するため、従来よりも固形物５１を排出しやすくすることができる。ただし、突出した入隅線２５の頂点付近に固形物５１の流れのよどみ点が発生するので、図８に示すような形状に比べれば固形物５１が滞留しやすくなる。
【００２９】
また、上記した実施形態においては、バーブ２０の入隅線２５が直線で形成されている例について説明したが、これに限らず、図９に示すように、入隅線２５が曲線で形成されていてもよい。この場合でも、上記した実施形態と同様の効果を得ることができる。そして、バーブ２０の入隅線２５が、バーブ２０の幅方向Ｗの一方側２０ａから他方側２０ｂに行くに従って次第に針先２９から離れるように形成することで、固形物５１の排出効果を高めることができる。
【００３０】
また、入隅線２５が直線で形成されるか曲線で形成されるかにかかわらず、入隅線２５は、段階的に傾斜が変わる折れ線で形成されていてもよい。具体的には、図１０に示すように、入隅線２５の途中に屈折部２５ｃを設け、この屈折部２５ｃの前後で入隅線２５の傾斜が異なるように形成してもよい。この場合でも、上記した実施形態と同様の効果を得ることができる。そして、バーブ２０の入隅線２５が、バーブ２０の幅方向Ｗの一方側２０ａから他方側２０ｂに行くに従って次第に針先２９から離れるように形成することで、固形物５１の排出効果を高めることができる。
【００３１】
また、上記した実施形態においては、切り込み部１４において、バーブ２０の立ち上がり面２１の下端に傾斜面１６が連続するようにしたが、これに限らない。例えば、図１２に示すように、立ち上がり面２１と傾斜面１６との間に、フェルト針１０の軸に対して平行な底面１５を形成してもよい。
【００３２】
また、上記した実施形態においては、ブレード１２が断面三角形状の例について説明したが、これに限らない。すなわち、ブレード１２の断面形状はどんな形状でもよく、例えば、図１３（ａ）に示すような形状であってもよいし、図１３（ｂ）に示すような形状であってもよい。このように、上記した実施形態と同様のバーブ２０が形成できる形状であれば、ブレード１２の断面形状は問わない。
【符号の説明】
【００３３】
１０  フェルト針
１１  シャンク
１２  ブレード
１３  角部
１４  切り込み部
１５  底面
１６  傾斜面
２０  バーブ
２０ａ  一方側
２０ｂ  他方側
２１  立ち上がり面
２５  入隅線
２５ａ  一方の端部
２５ｂ  他方の端部
２５ｃ  屈折部
２９  針先
５０  繊維
５１  固形物
Ｗ  バーブの幅方向
Ｘ  バーブを幅方向に見たときの中心位置
Ｓ  仮想中心面
Ｐ  針先方向
【図１】
2020017364.tif 000003
【図２】
2020017364.tif 000004
【図３】
2020017364.tif 000005
【図４】
2020017364.tif 000006
【図５】
2020017364.tif 000007
【図６】
2020017364.tif 000008
【図７】
2020017364.tif 000009
【図８】
2020017364.tif 000010
【図９】
2020017364.tif 000011
【図１０】
2020017364.tif 000012
【図１１】
2020017364.tif 000013
【図１２】
2020017364.tif 000014
【図１３】
2020017364.tif 000015
【国際調査報告】
2020017364.tif 000016
2020017364.tif 000017